(57)【特許請求の範囲】
【請求項１】
磁化性金属で成形され、全体に抗菌、抗臭処理を施してあり、全体を方形として、一部を開口し、その開口を閉塞し、銘板を備えた蓋体を着脱自在に備えた収骨容器本体を有し、その収骨容器本体の長手方向に沿った内壁面に相対向して二対の、断面Ｌ字状をしたアングルを対向させた磁石設置部８、８を上下方向に形成し、その磁石設置部８、８に板状磁石１０、１０を嵌装し、前記蓋体の内面には磁石設置部８、８と対応させてレール状の磁石装着部１１、１１を形成し、その磁石装着部１１、１１に磁石１３を保持させて、蓋体の吸着をし、また、前記した収骨容器本体を立設した場合の上面の内側に対向するアングルで構成された磁石設置部１５を形成し、その磁石設置部１５に板状磁石１６を装備し、この板状磁石１６に、骨体を収納し、一部に磁化性金属帯を備えるか、開口チャック部に磁粉を備えた袋体の前記磁化性金属帯もしくは磁粉を吸着させて吸着吊持させる収骨容器において、その収骨容器本体の底板側に前記袋体の他の磁性体部分を止着する帯状の揺れ止め用磁石を備えたことを特徴とする収骨容器。
【発明の詳細な説明】
【０００１】
【発明の属する技術分野】
本発明は収骨容器、特に遺骨を粉砕した骨粉や喉の中間にある甲状軟骨の突起した部分（喉仏あるいは喉骨）を収納し、納骨壇に設置するための収骨容器に関する。
【０００２】
【発明の背景】
従来、遺体を焼却させた後に残る遺骨は墓地に埋葬することが我が国にあって主流とされているが、一部では墓地の不足や宗教的、個人的な見解から、海等への散骨が増え、法的な整備もなされればさらに増加するものと思料される。
【０００３】
また、墓地不足を反映して霊園や寺院にあっても納骨壇が増えているが、スペ−ス的な問題から従来の骨壺も小型化され、余剰スペ−スの解消も要請され、さらには少子化等に起因して永代供養が増加し、無縁墓も増えており、収骨遺骨の処理が急務とされている。
【０００４】
かかる点から、出願人は必要スペ−スが小さくて済み、また腐敗や腐臭に強く、加えて震動に対応して遺骨の散混を未然に防止できる特に納骨壇用として優れた収骨箱を特願平１０−１７９６４６号として出願した。
【０００５】
【発明が解決しようとする課題】
しかしながら、この従来の収骨箱は内部に設けられた磁石で、骨体を入れた袋の一部を止着しておくこととしているが、その止着が一部分となるため、震動が加えられた場合に揺動し、止着が外れてしまう虞があったところである。
【０００６】
【発明の目的】
本発明は上記した従来の問題点に着目して、さらに改良を加え、骨体の収納袋を複数箇所で止着して揺動を抑え、震動時に止着が外れてしまうことを防止できる収骨容器を提供することを目的としている。
【０００７】
【課題を解決するための手段】
この目的を達成するために、本発明に係る収骨容器は磁化性金属で成形され、全体に抗菌、抗臭処理を施してあり、全体を方形として、一部を開口し、その開口を閉塞し、銘板を備えた蓋体を着脱自在に備えた収骨容器本体を有し、その収骨容器本体の長手方向に沿った内壁面に相対向して二対の、断面Ｌ字状をしたアングルを対向させた磁石設置部８、８を上下方向に形成し、その磁石設置部８、８に板状磁石１０、１０を嵌装し、前記蓋体の内面には磁石設置部８、８と対応させてレール状の磁石装着部１１、１１を形成し、その磁石装着部１１、１１に磁石１３を保持させて、蓋体の吸着をし、また、前記した収骨容器本体を立設した場合の上面の内側に対向するアングルで構成された磁石設置部１５を形成し、その磁石設置部１５に板状磁石１６を装備し、この板状磁石１６に、骨体を収納し、一部に磁化性金属帯を備えるか、開口チャック部に磁粉を備えた袋体の前記磁化性金属帯もしくは磁粉を吸着させて吸着吊持させる収骨容器において、その収骨容器本体の底板側に前記袋体の他の磁性体部分を止着する帯状の揺れ止め用磁石を備えたことを特徴としている。
【０００８】
【作用】
上記した構成としたことによってリサイクル使用も可能とし、骨体を収納した袋体を複数箇所で磁石による止着をするため、震動が加えられても揺動することもなく、止着が外れてしまうことを未然に防止することができることとなるのである。
【０００９】
【発明の実施の形態】
次に、本発明の好ましい実施の形態を図面を参照して説明する。図１は本発明を実施した収骨容器の側面図、図２は同じく平面図、図３は同じく正断面図、図４は同じく蓋体の銘板を分離させた正面図、図５は同じく磁石の設置状態を示す部分斜視図、図６は同じく銘板を分離させた斜視図、図７は据置状態を示す部分斜視図である。
【００１０】
これらの図にあって１は収骨容器本体を示しており、この場合の収骨容器本体１は鋼等の磁化性金属により、少なくとも上面を開口した方形に成形されている。また、この収骨容器本体１は後述する蓋体を含め、全体に公知の技術によって抗菌、抗臭処理が施されている。そして、この実施の形態にあって収骨容器本体１は方形のものとしたが、これに限定されず従来の壺状のものであってもよい。
【００１１】
この収骨容器本体１の底面には、収骨容器本体１の周縁にフランジ部２ａを有する底板２が設けられたものとなっている。
【００１２】
一方、収骨容器本体１の上面開口には、前記した底板２と同形状とされた蓋体３がやはり、収骨容器本体１の周縁にフランジ部３を形成して着脱自在に備えられている。
【００１３】
この蓋体３の天面には一方に片寄せて平凹穴４が形成されており、その平凹穴４には表面に故人の戒名等の文字５・５…を表記した黄銅製の銘板６が嵌着固定される。この銘板６の嵌着固定は平凹穴４内及び銘板６の裏面に例えば両面テ−プを介在させたマグネットシ−ト７ａ・７ｂを用いることによってなされ、脱落を防止しつつ、資源としてのリサイクル使用の際の容易性も図っている。
【００１４】
また、前記した収骨容器本体１の長手方向に沿った内壁面には相対向して二対の磁石設置部８・８…が形成されている。この磁石設置部８・８…は断面Ｌ字状をしたアングルを対向させてあるもので上下方向に形成されている。
【００１５】
この各々の磁石設置部８・８…には中間にアルミプレ−ト９を嵌装し、そのアルミプレ−ト９の上下に板状磁石１０・１０を嵌装した構成となっている。
【００１６】
そして、前記した底板２及び蓋体３の内面には前記した磁石設置部８・８…と対応させてレ−ル状の磁石装着部１１・１１が形成されている。この磁石装着部１１・１１は断面Ｌ字形のアングル１１ａとそのアングル１１ａから内方に向けて突設させた突片１１ｂとより構成されている。
【００１７】
この磁石装着部１１にあって、底板２の場合はアングル１１ａの下方に棒状磁石１２を挿通させ、板状磁石１０とアングル１１ａの屈曲部を介して直列的に対向させるものとし、強力な磁力をもって底板２の収骨容器本体１への吸着を図っている。
【００１８】
また、蓋体３にあっては突片１１ｂ側に磁石１３を保持させ、突片１１ｂからアングル１１ａを介しての吸着とし、底板２に比して、弱い力で、この蓋体３の着脱を可能としている。
【００１９】
さらに、この収骨容器本体１を後述するように立設した場合の下面、即ち、短手方向にあって銘板６から遠い面の内側には全面に板状磁石１４が装備され、上面側の内側には対向するアングルによって構成された磁石設置部１５が形成され、プラスチックやその他刺し破りや破損のない強靱な素材で成形された骨体収納用の袋体１９を吊持するための板状磁石１６が装備される。
【００２０】
また、図中２０は前記した袋体１９の揺動を抑えるため、収骨容器本体１の底板２側、即ち、立設時には背面側となる内部に備えられた帯状磁石であり、この実施の形態にあって揺れ止め用磁石２０は帯状としたが、これにこだわらず、ドット状としたり断裂線状等とすることも勿論可能である。
【００２１】
ここで、袋体１９には喉仏や粉骨が収納されてバキュ−ム処理されたものとなり、一部に磁化性金属帯を備えるか、開口チャック部に磁粉を備えたものが使用され、その磁性体部分を板状磁石１６に吸着させて吊持し、他部位を揺れ止め用磁石２０で吸着して安定した保持状態とさせる。
【００２２】
こうして、骨体を収納した袋体１９が収容された収骨容器本体１は図７として示すように納骨壇１７の棚部１８・１８…上に立設状態で据置される。この際に、少なくとも棚部１８・１８…の表面に磁性金属板等を敷設することによって前記した板状磁石１４が作用して、収骨容器本体１を吸着させる作用が得られる。
【００２３】
【発明の効果】
本発明に係る収骨容器は上述のように構成されている。そのために、従前、出願人が提案した収骨箱の利点を確保しつつ、さらに、骨体を収納した袋体の揺動を抑え、安定した保持状態を得ることができるものとなっている。
【図面の簡単な説明】
【図１】本発明を実施した収骨容器の側面図である。
【図２】平面図である。
【図３】正断面図である。
【図４】蓋体の銘板を分離させた正面図である。
【図５】磁石の設置状態を示す部分斜視図である。
【図６】銘板を分離させた斜視図である。
【図７】据置状態を示す部分斜視図である。
【符号の説明】
１  収骨容器本体
２  底板
３  蓋体
４  平凹穴
５  文字
６  銘板
７ａ  マグネットシ−ト
７ｂ  マグネットシ−ト
８  磁石設置部
９  アルミプレ−ト
１０  板状磁石
１１  磁石装着部
１２  棒状磁石
１３  磁石
１４  板状磁石
１５  磁石設置部
１６  板状磁石
１７  納骨壇
１８  棚部
１９  袋体
２０  揺れ止め用磁石
【図１】
0004691235.tif 000002
【図２】
0004691235.tif 000003
【図３】
0004691235.tif 000004
【図４】
0004691235.tif 000005
【図５】
0004691235.tif 000006
【図６】
0004691235.tif 000007
【図７】
0004691235.tif 000008